(57)【要約】      （修正有）【課題】フィットネス活動を行う施設において、施設の利用者の便宜を向上すべく合理的に構成された酸素供給装置を提供する。【解決手段】酸素ボンベ１０と、酸素ボンベに接続された配管２０と、酸素マスク３０と、酸素マスクを配管に着脱自在に接続する継手４０とを備え、継手は、配管側に設けられたソケット４１と、酸素マスク側に設けられたプラグ４２とを備え、酸素マスクは、利用者の頭部に装着する頭部装着部と、頭部装着部に支持されるとともに利用者の頭部正面側にその先端部を延出してなるパイプ体と、パイプ体の基端部とプラグ４２とを連結するチューブとを備え、ソケットは、配管の各要所にそれぞれ設け、プラグは、各ソケットに対してそれぞれ接続可能に設けられている。【選択図】図１
0003177857.tif 000002
【実用新案登録請求の範囲】
【請求項１】
フィットネス活動を行う施設に設けられ、前記施設の利用者に酸素を供給する酸素供給装置において、
酸素ボンベと、前記酸素ボンベに接続された配管と、酸素マスクと、前記酸素マスクを前記配管に着脱自在に接続する継手とを備え、
前記継手は、前記配管側に設けられたソケットと、前記酸素マスク側に設けられたプラグとを備え、
前記酸素マスクは、前記利用者の頭部に装着する頭部装着部と、前記頭部装着部に支持されるとともに前記利用者の頭部正面側にその先端部を延出してなるパイプ体と、前記パイプ体の基端部と前記プラグとを連結するチューブとを備え、
前記ソケットは、前記配管の各要所にそれぞれ設け、前記プラグは、前記各ソケットに対してそれぞれ接続可能に設けられており、
更に、前記酸素ボンベは、液体酸素ボンベ又は気体酸素ボンベであり、また、前記配管の末端部はトレーニング装置の配置位置に応じて天井から複数本吊下げられており、前記ソケットは前記配管の末端部に設けられていることを特徴とする酸素供給装置。
【考案の詳細な説明】
【技術分野】
【０００１】
本考案は、スポーツセンターやトレーニングジム等のフィットネス活動を行う施設に設けられる酸素供給装置に関する。
【背景技術】
【０００２】
健康や体力の維持及び向上を目的とする運動、すなわちフィットネス活動については、体内に取り入れる酸素の量によって、心臓や肺の機能を高めることが可能であるとされる。例えば、特許文献１及び２には、トレーニングを行う者に酸素を供給する構成を備えたトレーニング装置が開示されている。
【０００３】
また、所定の施設に設けられる酸素供給装置としては、酸素をその施設に設置した配管を通して利用者に供給するものが知られている。このような構成によると、利用者毎に個別のボンベや酸素発生手段を準備せずともよいという利点がある。特許文献３及び４には、この種の酸素供給装置が開示されている。
【特許文献１】特開２００３−２６５６４５号公報
【特許文献２】特開２００７−１８５４５７号公報
【特許文献３】特開２００１−３２７６０２号公報
【特許文献４】特開２００６−３２８９３１号公報
【考案の開示】
【考案が解決しようとする課題】
【０００４】
さて、スポーツセンターやトレーニングジムにおいては、各種のトレーニング装置が配置されており、利用者は、施設内を移動してそれらを任意に利用することができるようになっている。ここで、前述したように配管を通して酸素を利用者に供給する場合、各トレーニング装置に対して配管に繋いだ酸素マスクを設置すると、利用者が同じ酸素マスクを使いまわすことになる。つまり、酸素マスクの洗浄・消毒を頻繁に行わざるを得ず、不便である。利用者としても、酸素マスクを気持ち良く使用するためには、使いまわしがその妨げになると考えられる。つまるところ、各利用者がそれぞれ専用の酸素マスクを使用できる構成が望ましく、酸素供給装置については、配管に接続する酸素マスクの使用形態を考慮しつつ、更なる工夫が必要とされている。本発明は、かかる事情に鑑みてなされたものであり、その目的は、フィットネス活動を行う施設において、施設の利用者の便宜を向上すべく合理的に構成された酸素供給装置を提供することである。
【課題を解決するための手段】
【０００５】
本願第１請求項に記載した考案は、フィットネス活動を行う施設に設けられ、前記施設の利用者に酸素を供給する酸素供給装置において、酸素ボンベと、前記酸素ボンベに接続された配管と、酸素マスクと、前記酸素マスクを前記配管に着脱自在に接続する継手とを備え、前記継手は、前記配管側に設けられたソケットと、前記酸素マスク側に設けられたプラグとを備え、前記酸素マスクは、前記利用者の頭部に装着する頭部装着部と、前記頭部装着部に支持されるとともに前記利用者の頭部正面側にその先端部を延出してなるパイプ体と、前記パイプ体の基端部と前記プラグとを連結するチューブとを備え、前記ソケットは、前記配管の各要所にそれぞれ設け、前記プラグは、前記各ソケットに対してそれぞれ接続可能に設け、更に、前記酸素ボンベは、液体酸素ボンベ又は気体酸素ボンベであり、また、前記配管の末端部はトレーニング装置の配置位置に応じて天井から複数本吊下げられており、前記ソケットは前記配管の末端部に設けられている酸素供給装置である。
た酸素供給装置である。
【考案の効果】
【０００６】
本考案によれば、各利用者はそれぞれ専用の酸素マスクを使用でき、しかも酸素マスク側に設けられたプラグは前記各ソケットに対してそれぞれ接続可能に設けられているので、利用者は各ソケットに対応した適宜箇所にてフィットネス活動を行うことができ、これにより、施設利用者の便宜が著しく向上する酸素供給装置を得ることができる。
【考案を実施するための最良の形態】
【０００７】
以下に、本考案の実施例を図面に基づいて説明する。図１乃至図３に示す本例の酸素供給装置１は、フィットネス活動を行う施設１００に設けられ、施設１００の利用者Ａ，Ｂ，Ｃに酸素をそれぞれ供給するものとなっている。当該施設１００には、各種のトレーニング装置２１０，２２０が配置されており、利用者Ａ，Ｂ，Ｃは、施設１００内を移動してそれらを任意に利用することができるようになっている。
【０００８】
本例の酸素供給装置１は、施設１００内の所定の位置に配置された液体酸素ボンベ１０と、液体酸素ボンベ１０に接続された配管２０と、各利用者Ａ，Ｂ，Ｃがそれぞれ携帯して用いる酸素マスク３０と、酸素マスク３０を配管２０に着脱自在に接続する継手４０とを備えたものである。
【０００９】
継手４０は、配管２０側に設けられたソケット４１と、酸素マスク３０側に設けられたプラグ４２とを備えている。具体的な構造は特に限定しないが、本例のソケット４１は、弾性部材にて付勢されたフックと、流路を開閉するスピンドルとを備えたものである。ソケット４１にプラグ４２を挿入すると、プラグ４２がフックに係止されてロックされるとともに、スピンドルが流路を開き、更に、ロックを解除してソケット４１からプラグ４２を引き抜くと、スピンドルが流路を閉鎖する構成となっている。尚、ソケット４１には、流路を絞ることにより酸素の流量を調整する流量調整手段を設けることも可能である。
【００１０】
酸素マスク３０は、利用者Ａ，Ｂ，Ｃの頭部に装着するヘッドギア型の頭部装着部３１と、頭部装着部３１に支持されるとともに利用者Ａ，Ｂ，Ｃの頭部正面側にその先端部を延出してなる硬質樹脂製のパイプ体３２と、パイプ体３２の基端部とプラグ４２とを連結する軟質樹脂製のチューブ３３とを備えている。パイプ体３２の先端部には、所定の形状の酸素噴出部３４が設けられている。
【００１１】
本例の場合、継手４０のソケット４１は、配管２０の各要所にそれぞれ設け、酸素マスク３０側のプラグ４２は、各ソケット４１に対してそれぞれ接続することができるようにした。図例では、トレーニング装置２１０，２２０の配置位置に応じて配管２０の末端部２１が施設１００の天井１１０から複数本吊下げられた状態となっており、ソケット４１は、配管２０の末端部２１にそれぞれ設けられている。図中の２２は、配管２０の末端部２１の形状を保持するための形状保持具である。
【００１２】
このような構成によると、液体酸素ボンベ１０から気化した酸素は、ボンベ圧により配管２０を通して各ソケット４１にもたらされる。利用者Ａ，Ｂ，Ｃは、使用するトレーニング装置２１０，２２０に対応するソケット４１に、自分が携帯している酸素マスク３０のプラグ４２を接続し、酸素の供給を受ける。施設１００内を移動する場合は、ソケット４１からプラグ４２を引き抜いて酸素マスク３０を携帯する。従って、酸素マスク３０は、個人専用のものとすることができる。酸素マスク３０の構成も、簡素であるとともに各種フィットネス活動に対して汎用性に優れたものとなっている。
【００１３】
以上説明したように、本例の構成によると、施設の利用者の便宜を向上すべく合理的に構成された酸素供給装置を得ることができる。
【００１４】
尚、本例において、酸素ボンベは液体酸素ボンベを用いて説明したが、液体酸素ボンベに限られずに、例えば気体酸素ボンベを用いることもできることは勿論である。
【００１５】
また、本例における各部の構成は、実用新案登録請求の範囲に記載した技術的範囲において適宜に設計変更が可能であり、図例説明したものに限定されないことは言うまでもない。
【産業上の利用可能性】
【００１６】
本考案の酸素供給装置は、スポーツセンターやトレーニングジムの利用者に酸素を供給する装置として好適に利用することが可能である。
【図面の簡単な説明】
【００１７】
【図１】本考案の実施例に係り、酸素供給装置を示す説明図である。
【図２】本考案の実施例に係り、図１の要部拡大図であり、末端部近傍を示す説明図である。
【図３】本考案の実施例に係り、配管の末端部、継手、及び酸素マスクを示す説明図である。
【符号の説明】
【００１８】
１    酸素供給装置
１０    液体酸素ボンベ
２０    配管
２１    末端部
２２    形状保持具
３０    酸素マスク
３１    頭部装着部
３２    パイプ体
３３    チューブ
３４    酸素噴出部
４０    継手
４１    ソケット
４２    プラグ
１００    フィットネス活動を行う施設
１１０    天井
２１０    トレーニング装置
２２０    トレーニング装置
【図１】
0003177857.tif 000003
【図２】
0003177857.tif 000004
【図３】
0003177857.tif 000005